(57)【要約】【課題】入力端子より発振を開始するための信号を受け付けるとともに、入力された信号の過電圧状態を検知して発振を停止する過電圧保護機能を有するＩＣを用いた電源回路において、一つの入力端子にて、スタート信号発信部と、二次側回路の過電圧状態を検出してＩＣの過電圧保護を行う。【解決手段】メイン電源回路より入力される電源を基に、共振回路１１にて交流電源の生成並びに制御を行う駆動用電源回路において、共振回路１１の共振駆動部１１ｂに二次側からの過電圧状態をフィードバックトランス１４を介して受け付けるとともに、受け付けた信号に基づいて過電圧信号を生成する過電圧信号供給部１１ｃを備える。これにより、過電圧信号をＩＣ１１ａの過電圧保護を行う端子に入力してＩＣ１１ａの過電圧保護を行う。【選択図】図２
2008136323.tif 000002
【特許請求の範囲】
【請求項１】
メイン電源回路より供給される直流電源を共振回路で交流に変換した後、上記生成した交流電源を基に信号生成部にてプラズマパネルを駆動するための駆動用信号を生成する駆動用電源回路を有するプラズマディスプレイ装置において、
上記共振回路は、マイコンから入力された共振を開始するためのスタート信号の過電圧状態を検知すると、ラッチモードに移行して発振を停止する過電圧保護機能を構成する入力端子と、フィードバックにより発振のデューティ比を制御するフィードバック端子とを有するＩＣと、
マイコンからのスタート信号を受け付けて上記ＩＣの入力端子に出力するとともに、信号生成部からフォトカプラを介して供給される第一のフィードバック信号を上記フィードバック端子に出力する共振駆動部と、
複数のトランジスタとツェナーダイオードを基に構成されるとともに、上記信号生成部が過電圧状態になった際、フィードバックトランスを介して上記信号生成部から出力する第二のフィードバック信号により上記ツェナーダイオードを降伏させて過電圧信号を生成して、上記入力端子に出力することにより上記ＩＣの過電圧保護機能を差動させてラッチモードに移行することにより、上記駆動用電源回路の駆動用信号の生成を停止させる過電圧信号供給部とを有することを特徴とするプラズマディスプレイ装置。
【請求項２】
発振を開始する信号を受け付けるとともに、入力された信号の過電圧状態を検知して発振を停止する過電圧保護機能を有するＩＣと、
上記ＩＣを発振させるためのスタート信号を上記入力端子に供給するスタート信号発信部と、
上記ＩＣの発振に基づいて、所定の電圧を生成する二次側回路とを有する電源回路において、
上記二次側回路が過電圧状態になった際、フィードバックにて上記ＩＣの入力端子に過電圧信号を出力して、上記ＩＣの過電圧保護機能を差動させる過電圧信号供給部を有することを特徴とする電源回路。
【請求項３】
上記ＩＣは、一次側の直流電源を共振によって交流に変換する共振回路に内蔵されるとともに、
上記共振回路により変換された交流電源はトランスを介して二次側回路に供給する構成であって、
上記過電圧信号供給部は上記共振回路に組み込まれ、二次側回路からフィードバックトランスを介して出力されるフィードバック信号の電圧値に基づいて上記過電圧信号を生成することを特徴とする請求項２に記載の電源回路。
【請求項４】
上記ＩＣは所定の電圧を有する過電圧信号を出力された際、ラッチモードに移行して発振を停止する過電圧保護機能を有することを特徴とする請求項２または請求項３のいずれかに記載の電源回路。
【発明の詳細な説明】
【技術分野】
【０００１】
タート端子に過電圧検出機能を持つＩＣを有する電源回路、および上記電源回路を用いたプラズマディスプレイ装置に関する。
【背景技術】
【０００２】
図６は、発振を行うための信号を受け付けるスタート端子に過電圧検出機能を持つＩＣの内部ロジックを表す図である。同図より、ＩＣ１は、発振するためのスタート信号を受け付けるスタート端子２と、所定電圧を受け付けてＩＣ１の発振を制御するフィードバック端子３と、ソース端子４、ドレイン端子５、さらにはグランド端子６の端子を有している。さらに、ＩＣ１は内部ロジックとして、発振を開始するスタートブロック７ａと、入力された信号の過電圧状態を検出する過電圧検出ブロック７ｂ、さらにはＩＣ１内の発振を制御する発振制御ブロック７ｃ、さらには発信の基となる周波数発生回路（ＯＳＣ回路）７ｄとを有している。上述した各端子とブロックの関係としては、スタート端子２は、スタートブロック７ａと過電圧検出ブロック７ｂとにＩＣ内部で並列に接続し、スタート端子２より入力されるスタート信号の過電圧状態を監視している。
【０００３】
過電圧検出ブロック７ｂがスタート信号の過電圧状態を検出した場合は、ＩＣ１はラッチモードに移行する。上述したラッチモードでは、スタート信号の電圧状態に関わらず、スタート信号の入力を一端停止するまで、ＩＣ１は発振を停止する。また、フィードバック端子３は、発振制御ブロック７ｃとＩＣ内部で接続して、入力されるフィードバック信号に基づいて周波数発生回路７ｄの発振制御を行う。
【０００４】
上述した構成のＩＣ１の使用方法として、直流電源を交流電源に変換するための共振回路を用いた電源回路が上げられる。このような電源回路では、スタート端子にマイコン等の制御部を接続するとともに、トランスを介して接続された二次側回路をフィードバック端子３と接続して使用する。そのためＩＣ１は、マイコンから出力されるスタート信号によりＩＣ１の発振を開始するとともに、二次側回路から出力されるフィードバック信号によりＩＣ１の発振の制御を行う。このようなＩＣ１の使用方法では、マイコンの異常動作時は、ＩＣ１はスタート信号の過電圧状態を過電圧検出ブロック７ｂにより検出することにより発振を停止し、二次側回路の異常動作時は、フィードバック信号の電圧を発振制御ブロック７ｃにより読み取ることにより発振を制御する。
【０００５】
前述したように、二次側回路の異常動作による過電圧状態は、フィードバック端子３を介して入力されるフィードバック信号の値によって発振制御ブロック７ｃにより制御を行いＩＣ１を保護する。しかしながら、発振制御ブロック７ｃによるＩＣ１の発振制御は所定の時間を伴い、そのため二次側回路の過電圧状態の場合、より望ましくはＩＣ１の発振を瞬時に停止してラッチモードに移行することでＩＣ１を保護することがより望ましい。  二次側回路の過電圧状態をＩＣ内の過電圧保護機能を用いて検出することで、ＩＣ１の発振を停止する方法として以下の発明が開示されている。つまり、二次側回路とＩＣのスタート端子とをツェナーダイオードにより接続し、二次側回路が過電圧状態の場合はツェナーダイオード降伏電流が主力される。これによりＩＣのスタート端子に降伏電流に基づく信号が主力され、過電圧保護機能を差動させる（例えば、特許文献１参照。）。
【０００６】
また、二つのスイッチング手段を並列に組合せて駆動する電源回路において、一方がオープン状態になることで他方に負荷が増大することによる回路の破損を防止するために、以下の方法が開示されている。つまり、二つのスイッチング手段に流れる電流を個別に検出する電流検出手段と、各電流検出手段の出力を個別に比較する比較手段と、比較手段の比較結果に基づいて上記いずれかのスイッチング手段に流れる負荷を制御する制御手段とを有する構成である（例えば、特許文献２参照。）。
【０００７】
さらに、ラッチによる停止機能を有さないＩＣにラッチオフ回路を外付けしてＩＣの過電流や過電圧からの保護を経済的に行う方法が開示されている（例えば、特許文献３参照。）。
【特許文献１】特開２００５−１２４２４６
【特許文献２】特開２０００−３２３９７５
【特許文献３】特開平６−１５３３８２
【発明の開示】
【発明が解決しようとする課題】
【０００８】
上述した特許文献１の発明は、次のような課題があった。つまり、特許文献１の発明は、課題を二次側回路とＩＣとを繋ぐフォトカプラ等の接続部品をツェナーダイオードに置き換えることで、部品点数の削減を行うためのものである。そのため本件のような、通常起動時にはフィードバック端子によりＩＣの発振制御が行われ、二次側回路の過電圧状態の検出時のみに、ＩＣ内の過電圧保護機能を実現するものではない。
【０００９】
また、特許文献２の発明は、次のような課題がった。二つのスイッチング手段（本発明ではＩＣ）を用いた電源回路に限定される発明であり、本発明のような一つのＩＣにより過電圧を検出する回路には適応することができない。
【００１０】
また、特許文献３の発明は、次のような課題があった。つまり、ラッチオフ回路を内部に有しないＩＣに限定される発明であり、本発明のような二次側回路の過電圧状態をＩＣ内の過電圧保護回路にて検出させる方法を開示したものではない。
【００１１】
本発明は、上記課題にかんがみてなされたもので、入力端子より発振を開始するための信号を受け付けるとともに、入力された信号の過電圧状態を検知して発振を停止する過電圧保護機能を有するＩＣを用いた電源回路において、一つの入力端子にて、スタート信号発信部と、二次側回路の過電圧状態を検出してＩＣの過電圧保護を行う電源回路および上記電源回路を使用したプラズマディスプレイ装置の提供を目的とする。
【課題を解決するための手段】
【００１２】
上記課題を解決するために、請求項２に記載の電源回路では、発振を開始する信号を受け付けるとともに、入力された信号の過電圧状態を検知して発振を停止する過電圧保護機能を有するＩＣと、上記ＩＣを発振させるためのスタート信号を上記入力端子に供給するスタート信号発信部と、上記ＩＣの発振に基づいて、所定の電圧を生成する二次側回路とを有する電源回路において、上記二次側回路が過電圧状態になった際、フィードバックにて上記ＩＣの入力端子に過電圧信号を出力して、上記ＩＣの過電圧保護機能を差動させる過電圧信号供給部を有する構成としている。
【００１３】
上記のように構成した発明では、ＩＣの入力端子はスタート信号発信部と二次側回路とに並列に接続し、ＩＣのフィードバック端子は二次側回路と接続している。また入力端子と二次側回路は過電圧信号供給部を介して接続している。そのため、通常時は、スタート信号発信部からのスタート信号を受付け発振を開始するとともに、過電圧信号供給部の異常動作を過電圧保護機能により監視し、ＩＣの過電圧保護を行う。さらに、二次側回路からのフィードバック信号を受け付けてＩＣ内の発振制御を行う。このとき、二次側回路が異常動作等により過電圧状態に陥った場合は、過電圧信号供給部が異常を検出して、ＩＣの入力端子に過電圧信号を出力することにより、ＩＣの発振を速やかに停止させる。
【００１４】
そのため、上述した入力端子より発振を開始するための信号を受け付けるとともに、入力された信号の過電圧状態を検知して発振を停止する過電圧保護機能を有するＩＣにおいて、一つの端子でスタート信号の異常と二次側回路の過電圧状態を検出してＩＣの過電圧保護を行うことができる。
【００１５】
また、本発明の電源回路の具体的な構成の一例として、請求項３に記載の発明では、上記ＩＣは、一次側の直流電源を共振によって交流に変換する共振回路に内蔵されるとともに、上記共振回路により変換された交流電源はトランスを介して二次側回路に供給する構成であって、上記過電圧信号供給部は上記共振回路に組み込まれ、二次側回路からフィードバックトランスを介して出力されるフィードバック信号の電圧値に基づいて上記過電圧信号を生成する構成としている。
【００１６】
上記のように構成した発明では、発振を行うＩＣは主に共振回路にて使用される場合が多く、その場合共振回路は一次側からの直流電源を交流に変換して二次側に出力するための使用される。このとき、過電圧信号供給部は、二次側回路からフィードバックトランスを介して出力されるフィードバック信号を基に過電圧信号を出力する。そのため、フィードバック信号を利用して過電圧信号を生成するため、信号発生源を必要とせず回路構成を簡易なものとすることができる。
【００１７】
また、ＩＣ内の過電圧保護機能を構成する具体的な構成の一例として、請求項４に記載の発明では、上記ＩＣは所定の電圧を有する過電圧信号を出力された際、ラッチモードに移行して発振を停止する過電圧保護機能を有する構成としている。
【００１８】
上記のように構成した発明では、ＩＣの過電圧保護機能は過電圧を検出した際、電源の供給が遮断されるまで停止を解除しないラッチモードに移行するものであって、ＩＣに供給される信号を確実に遮断した後でしか発振を再開しない。そのため、ＩＣを確実に過電圧から保護することができる。
【００１９】
また、上述した課題を解決するための具体的な構成の一例として、請求項１の発明は、メイン電源回路より供給される直流電源を共振回路で交流に変換した後、信号生成部にてプラズマパネルを駆動するための駆動用信号を生成する駆動用電源回路を有するプラズマディスプレイ装置において、
上記共振回路は、マイコンから入力された共振を開始するためのスタート信号の過電圧状態を検知すると、ラッチモードに移行して発振を停止する過電圧保護機能を構成する入力端子と、フィードバックにより発振のデューティ比を制御するフィードバック端子とを有するＩＣと、マイコンからのスタート信号を受け付けて上記ＩＣの入力端子に出力するとともに、信号生成部からフォトカプラーを介して供給される第一のフィードバック信号を上記フィードバック端子に出力する共振駆動部と、複数のトランジスタとツェナーダイオードを基に構成されるとともに、上記信号生成部が過電圧状態になった際、フィードバックトランスを介して上記信号生成部から出力する第二のフィードバック信号により上記ツェナーダイオードを降伏させて過電圧信号を生成して、上記入力端子に出力することにより上記ＩＣの過電圧保護機能を差動させてラッチモードに移行することにより、上記駆動用電源回路の駆動用信号の生成を停止させる過電圧信号供給部とを有する構成である。
【発明の効果】
【００２０】
以上説明したように本発明によれば、入力端子より発振を開始するための信号を受け付けるとともに、入力された信号の過電圧状態を検知して発振を停止する過電圧保護機能を有するＩＣにおいて、一つの端子でスタート信号の異常と二次側回路の過電圧状態を検出してＩＣの過電圧保護を行うことができる。
また請求項３にかかる発明によれば、フィードバック信号を利用して過電圧信号を生成するため、信号発生源を必要とせず回路構成を簡易なものとすることができる。
そして請求項４にかかる発明によれば、ＩＣを確実に過電圧から保護することができる。が可能となる。
さらに請求項１のような、より具体的な構成において、上述した請求項２〜請求項４の各発明と同様の作用を奏することはいうまでもない。
【発明を実施するための最良の形態】
【００２１】
本発明の電源回路の具体的な説明として、上記電源回路を使用するプラズマディスプレイ装置を基に説明する。しかしながら、本発明の電源回路は上記プラズマディスプレイ装置に使用されるものに限定されるものではなく、本発明の電源回路を使用するものであれば応用することができる。
【００２２】
以下、下記の順序に従って本発明の実施形態を説明する。
（１）実施の形態
（１−１）プラズマディスプレイ装置の構成
（１−２）駆動用電源回路の構成
（１−３）共振回路の構成
（１−４）過電圧保護方法
（２）実施の形態のまとめ
【００２３】
（１）実施の形態
（１−１）プラズマディスプレイ装置の構成
以下、図１〜図５を参照して、この発明に係るプラズマディスプレイ装置を具体化した第１の実施の形態について説明する。図１は、本発明のプラズマディスプレイ装置６００を表すブロック構成図である。プラズマディスプレイ装置６００は、入力された映像信号を基に、画面をプラズマ発光させて映像を表示するためのものである。そのため、プラズマディスプレイ装置６００は、プラズマ発光により映像を表示するプラズマパネル２００と、プラズマパネル２００を駆動するための駆動用電源回路１００と、駆動用電源回路１００に電源を供給するメイン電源回路３００と、映像信号を受け付けて上記駆動用電源回路１００に出力する信号入力端子４００と、さらには上述した各要素を制御するマイコン５００とから構成されている。
【００２４】
上述したプラズマディスプレイ装置６００の構成により、信号入力端子４００から映像信号が駆動用電源回路１００に供給されると、駆動用電源回路１００はプラズマディスプレイ装置６００を発光させるための駆動信号を生成する。駆動用電源回路１００が生成する駆動用信号はメイン電源回路３００が商用電源を基に生成した安定化電源、さらには信号入力端子４００から入力された映像信号より生成される。駆動用電源回路１００は、プラズマパネル２００を駆動するための駆動用信号であるＶｓｕｓ、Ｖｓｅｔ、Ｖｓｃａｎ、Ｖｅ、Ｖａｄｄをプラズマパネル２００の各電極に印加するためのものである。そのため、駆動用電源回路１００は、Ｖｓｕｓ駆動回路１０、Ｖｓｅｔ駆動回路２０、Ｖｓｃａｎ駆動回路３０、Ｖｅ駆動回路４０、Ｖａｄｄ駆動回路５０駆動回路から構成されるとともに、マイコン５００からの制御の基、上記した各駆動用信号を所定の順番でプラズマパネル２００に印加していく。
【００２５】
プラズマパネル２００が駆動する流れを以下に説明する。プラズマパネル２００の駆動は、プラズマパネル２００を構成する各画素に印加された電圧を放電してリセットする初期化期間、プラズマパネル２００の駆動の準備を行うセット期間、発光させる画素を特定するアドレス期間、さらには画素の発光を維持する維持期間から構成されている。プラズマパネル２００の具体的な構成は周知技術であるためここでは、説明を省略するが、駆動用電源回路１００は、上述した各期間に所定の駆動用信号をプラズマパネル２００に印加し、その際マイコン５００は各駆動回路が駆動信号を出力するためのスタート信号を出力する。これによりマイコン５００はタイミングの制御を行う、スタート信号発信部を構成する。 
【００２６】
具体的には、初期化期間にてＶｅ駆動回路４０より駆動用信号であるＶｅが出力され、プラズマパネル２００の各画素の発光を停止させる。次に、セット期間にてＶｓｅｔ駆動回路２０より駆動信号であるＶｓｅｔがプラズマパネル２００のセット電極に印加され発光の準備が行われる。さらに、アドレス期間にてＶａｄｄ駆動回路５０より駆動信号であるＶａｄｄが、Ｖｓｃａｎ駆動回路３０より駆動信号であるＶｓｃａｎがプラズマパネル２００のアドレス電極とスキャン電極とに印加され、発光を行う画素の特定がなされる。最後に、Ｖｓｕｓ駆動回路１０より駆動信号であるＶｓｕｓがプラズマパネル２００のサステイン電極に印加され、発光の維持が行われる。マイコン５００にて上述した流れを繰り返し、これによりプラズマディスプレイ装置６００は特定の画素を発光させ、映像をプラズマパネル２００に表示させる。
【００２７】
（１−２）駆動用電源回路の構成
次に、駆動用電源回路１００の具体的な構成について説明を行う。駆動用電源回路１００は前述したように、Ｖｓｕｓ駆動回路１０、Ｖｓｅｔ駆動回路２０、Ｖｓｃａｎ駆動回路３０、Ｖｅ駆動回路４０、Ｖａｄｄ駆動回路５０から構成され、マイコン５００の制御のもと、上述した一連の駆動を実行する。各駆動回路の構成は略同等であるため、以下にＶｓｕｓ駆動回路１０を中心にその具体的な構成を説明する。
【００２８】
図２は、Ｖｓｕｓ駆動回路１０を中心とした回路図を表す図である。同図より、Ｖｓｕｓ駆動回路１０は、メイン電源回路３００から出力される３８５ボルトの直流電源を交流に変換する共振回路１１と、共振回路１１により生成された交流電源を誘導によって出力するメイントランス１２と、メイントランス１２からの電源を基に駆動用信号であるＶｓｕｓを生成する信号生成部１３とから構成されている。また、共振回路１１のＩＣ１１ａは、マイコン５００と接続するとともに、信号生成部１３とフィードバックトランス１４さらにはフォトカプラ１５を介して接続している。上述した構成により、Ｖｓｕｓ駆動回路１０は大きくは、マイコン５００よりＩＣ１１にスタート信号が出力されると、メイン電源回路３００から出力された直流電源を共振回路１１により交流に変換してメイントランス１２より信号生成部１３に主力する。その後、信号生成部１３は、メイントランス１２を介して入力された交流電源を基に、Ｖｓｕｓを生成してプラズマパネル２００に出力する。
【００２９】
（１−３）共振回路の構成
以下に本発明の共振回路の具体的な構成を説明する。また図３は本発明の実施の形態でのＩＣ１１ａの内部ロジックを表すブロック構成図である。前述したように共振回路１１は、制御中枢としてのＩＣ１１ａと、素子にて構成された共振駆動部１１ｂとから構成されている。また、ＩＣ１１ａは、マイコン５００からのスタート信号を受け付けて発振を開始する入力端子１１ａ１と、信号生成部１３からフィードバックトランス１４を介して入力されたフィードバック信号を基に、定電圧制御および過電流を検出するフィードバック端子１１ａ２と、ソース端子１１ａ３と、ドレイン端子１１ａ４、さらにはグランド端子１１ａ５とを有する構成である。共振回路１１は周知技術であるため詳細な説明は省略するが、大きくは、マイコン５００からスタート信号が入力端子１１ａ１に入力されると、スタート信号は内部のスタートブロック１１ａ６よりドライバーブロック１１ａ８に出力され周波数発生回路１１ａ９の発振を開始する。このとき、スタートブロック１１ａ６は過電圧保護ブロック１１ａ７と並列に接続しており、スタート信号の状態を監視してい  次に、上述した周波数発生回路１１ａ９の発振により、ソース端子１１ａ３とドレイン端子１１ａ４間の同通が切替えられ、メイントランス１２の一次側コイル１２ａに交流電流が発生する。そうしてメイントランス１２の二次側コイル１２ｂに電流が誘導によって流れ、信号生成部１３はＶｓｕｓを生成する。また、信号生成部１３が生成したＶｓｕｓはフィードバックトランス１４を介して、ＩＣ１１ａのフィードバック端子１１ａ２に出力される。フィードバック端子１１ａ２を介して入力されたフィードバック信号は、周波数発生回路１１ａ９の発振を制御し、メイントランス１２に印加する交流電源のデューティ比を切り替える。このようにして、ＩＣ１１ａと共振駆動部１１ｂにより交流電流の生成並びに制御が行われる。
【００３０】
上述した構成により、通常時は、信号生成部１３が生成するＶｓｕｓの電圧値を基にフォトカプラ１５により共振駆動部１１ｂを介してＩＣ１１ａのフィードバック端子１１ａ２に第一のフィードバック信号が出力される。これによりＩＣ１１ａ内にて、メイントランス１２に印加する電圧のデューティ比が制御される。また、信号生成部１３が生成するＶｓｕｓの過電流状態では、フォトカプラ１５を介してフィードバック端子１１ａ２に過電流検出信号が出力される。これにより、発振のデューティ比を制御してＩＣ１１ａの過電流保護がなされる。
【００３１】
（１−４）過電圧保護方法
上述した構成したＩＣ１１ａの過電流保護方法では、過電圧状態にたいするＩＣ１１ａの保護をなさない。しかもＩＣ１１ａの発振の停止に時間がかかるとともに、フィードバック端子１１ａ２はラッチモードに移行しないため確実なＩＣ１１ａの保護を行わない。そこで、本発明の実施の形態では、共振駆動部１１ｂに信号生成部１３からのフィードバック信号により過電圧信号を生成してＩＣ１１ａに出力する過電圧信号供給部を追加して、信号生成部１３が過電圧状態の際、信号生成部１３が生成する第二のフィードバック信号より過電圧信号を発生させ、ＩＣ１１ａの入力端子１１ａ１に上記過電圧信号を出力する。これにより、ＩＣ１１ａ内では過電圧保護ブロック１１ａ７が差動し、ラッチモードに移行することとなる。
【００３２】
以下に過電圧信号供給部１１ｃの構成と、信号の流れの説明を行う。図４は、通常時での第二のフィードバック信号の流れを表す回路図である。また、図５は、過電圧状態でのフィードバック信号の流れを表す回路図である。過電圧信号供給部１１ｃは、ツェナーダイオード１１ｃ１と、トランジスタ１１ｃ３、１１ｃ６、さらには抵抗１１ｃ２、１１ｃ４、１１ｃ５とから構成され、フィードバックトランスから出力される信号がツェナーダイオード１１ｃ１を降伏した場合にのみ、過電圧信号をＩＣ１１ａの入力端子１１ａ１に出力する構成である。また、このときツェナーダイオード１１ｃ１の値はユーザが設定したい過電圧状態に合わせて適宜設計するものとする。図４より、信号生成部１３が電圧値が過電圧状態でない場合は、フィードバックトランス１４を介して共振駆動部１１ｂに流れる信号はツェナーダイオード１１ｃ１にて遮断され、ＩＣ１１ａの入力端子１１ａ１には信号が出力されない。
【００３３】
次に、図５を用いて過電圧状態の際の信号の流れを説明する。信号生成部１３が過電圧状態である場合は、フィードバックトランス１４を介して共振駆動部１１ｂに流れる信号は、ツェナーダイオード１１ｃ１を降伏し降伏電流により過電圧信号を生成する。さらに、過電圧信号をトランジスタ１１ｃ６のベースに流す。これによりトランジスタ１１ｃ６のコレクタ／エミッタ間が同通し、分岐によって抵抗１１ｃ４に信号が流れる。そのため、トランジスタ１１ｃ３のベースに信号が流れ、トランジスタ１１ｃ３のコレクタ／エミッタ間を同通させ、過電圧信号はＩＣ１１ａの入力端子１１ａ１に出力される。このとき、ＩＣ１１ａの入力端子１１ａ１を流れる過電圧信号は、信号生成部１３が過電圧状態であるため電圧が高く、ＩＣ１１ａの過電圧保護ブロック１１ａ７は発振を停止させラッチモードに移行する。上述したＩＣ１１ａに入力する過電圧信号の値はＩＣ１１ａの過電圧検出機能に基づいて決定される値である。
【００３４】
（２）実施の形態のまとめ
以上説明したように、入力端子１１ａ１より発振を開始するための信号を受け付けるとともに、入力された信号の過電圧状態を検知して発振を停止する過電圧保護機能を有するＩＣ１１ａを用いたＶｓｕｓ駆動回路１０において、信号生成部１３の過電圧状態を、フィードバックトランス１４を介して共振駆動部１１ｂに出力するとともに、過電圧信号供給部１１ｃにより入力端子１１ａ１に過電圧信号を入力してＩＣ１１ａの発振を停止して過電圧保護を行う。そのため、一つの入力端子にて、マイコン５００と、信号生成部１３の過電圧状態を検出してＩＣの過電圧保護を行うことが可能となる。
【００３５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３６】
【図１】本発明のプラズマディスプレイ装置を表すブロック構成図である。
【図２】Ｖｓｕｓ駆動回路を中心とした回路図を表す図である。
【図３】本発明の実施の形態でのＩＣの内部ロジックを表すブロック構成図である。
【図４】通常時での第二のフィードバック信号の流れを表す回路図である。
【図５】過電圧状態でのフィードバック信号の流れを表す回路図である。
【図６】発振を行うための信号を受け付けるスタート端子に過電圧検出機能を持つＩＣの内部ロジックを表す図である。
【符号の説明】
【００３７】
１０…Ｖｓｕｓ駆動回路、１１…共振回路、１１ａ…ＩＣ、１１ａ１…入力端子、１１ａ２…フィードバック端子、１１ａ３…ソース端子、１１ａ４…ドレイン端子、１１ａ５…グランド端子、１１ａ６…スタートブロック、１１ａ７…過電圧保護ブロック、１１ａ８…ドライバーブロック、１１ａ９…周波数発生回路、１１ｂ…共振駆動部、１１ｃ…過電圧信号供給部、１１ｃ１…ツェナーダイオード、１１ｃ２…抵抗、１１ｃ３…トランジスタ、１１ｃ４、１１ｃ５…抵抗、１１ｃ６…トランジスタ、１２…メイントランス、１２ａ…一次側コイル、１２ｂ…二次側コイル、１３…信号生成部、１４…フィードバックトランス、１５…フォトカプラ、２０…Ｖｓｅｔ駆動回路、３０…Ｖｓｃａｎ駆動回路、４０…Ｖｅ駆動回路、５０…Ｖａｄｄ駆動回路、１００…駆動用電源回路、２００…プラズマパネル、３００…メイン電源回路、４００…信号入力端子、５００…マイコン、６００…プラズマディスプレイ装置
【図１】
2008136323.tif 000003
【図２】
2008136323.tif 000004
【図３】
2008136323.tif 000005
【図４】
2008136323.tif 000006
【図５】
2008136323.tif 000007
【図６】
2008136323.tif 000008